(57)【要約】      （修正有）【課題】一旦折畳まれたツルがバタ付いて開くことがないようにしたツル継手構造を提供する。又、バネ蝶番と同じような機能を備えたツル継手構造を提供する。【解決手段】メガネのフロント部両側に設けたヨロイ１に継手軸を介してツル２を折り畳み出来るように連結するツル継手構造において、ツル端面には継手軸４を中心として３つ以上の凹溝を形成し、一方のヨロイには上記凹溝にバネ力を付勢して係合する係合片１１を取付け、そして、上記３つ以上の凹溝の内で両側の凹溝はツルが折畳まれた位置とツルが開いた位置に設ける。【選択図】図１
2008203866.tif 000002
【特許請求の範囲】
【請求項１】
メガネのフロント部両側に設けたヨロイに継手軸を介してツルを折り畳み出来るように連結するツル継手構造において、ツル端面には継手軸を中心として３つ以上の凹溝を形成し、一方のヨロイには上記凹溝にバネ力を付勢して係合する係合片を取付け、そして、上記３つ以上の凹溝の内で両側の凹溝はツルが折畳まれた位置とツルが開いた位置に設けたことを特徴とするツル継手構造。
【請求項２】
メガネのフロント部両側に設けたヨロイに継手軸を介してツルを折り畳み出来るように連結するツル継手構造において、ヨロイ端面には継手軸を中心として３つ以上の凹溝を形成し、一方のツルには上記凹溝にバネ力を付勢して係合する係合片を取付け、そして、上記３つ以上の凹溝の内で両側の凹溝はツルが折畳まれた位置とツルが開いた位置に設けたことを特徴とするツル継手構造。
【請求項３】
ツルが開いた状態から外方向へ僅かに押し開いた際に、ツルが押し戻されるように係合片が後退する凸部を形成した請求項１、又は請求項２記載のツル継手構造。
【請求項４】
上記係合片を板バネの先端に形成した請求項１、請求項２、又は請求項３記載のツル継手構造。
【請求項５】
上記係合片を概略球体とし、コイルバネのバネ力を付勢した請求項１、請求項２、又は請求項３記載のツル継手構造。
【発明の詳細な説明】
【技術分野】
【０００１】
本発明はメガネフレームのツルを折り畳み出来るように連結する継手構造であって、折畳まれたツルがバタ付かない構造としたツル継手構造に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルは一般に蝶番などの継手を介して折畳み出来るように取付けられているが、フロント部の両側に設けているヨロイの先端に上記継手を介して連結している。
【０００３】
図５は従来の一般的な金属製メガネフレームの外観を表している。フロント部（イ）の両側にはヨロイ（ロ）、（ロ）がロウ付けされ、このヨロイ（ロ）、（ロ）に蝶番（ニ）、（ニ）を介して折畳み出来るようにツル（ハ）、（ハ）が連結している。フロント部（イ）は連結部材（ヘ）にて連結されている両リム（ホ）、（ホ）を有し、連結部材（ヘ）の下側には鼻当てパット（ト）、（ト）が取付けられている。従って、両鼻当てパット（ト）、（ト）を鼻の両脇に当ててフロント部（イ）を支え、ツル先端部に挿着される概略Ｌ形の樹脂製モダン(図示なし)を耳に係止してメガネを掛けることが出来る。
【０００４】
ところで、上記ツル（ハ）を取付けている蝶番（ニ）は両蝶片が軸ネジを介して連結し、各蝶片はヨロイ（ロ）とツル（ハ）に夫々ロウ付けされている。図６は従来から用いられているメガネフレームの上記蝶番（ニ）を示す外観図(平面図と正面図)である。同図に示すように、該蝶番は蝶片（チ）、（リ）が軸ネジ（ヌ）により連結されて屈曲することが出来る構造と成っていて、一方の蝶片（リ）はその接合面（ル）がヨロイ（ロ）にロウ付けされ、他方の蝶片（チ）の接合面（ル）はツル（ハ）にロウ付けされる。
【０００５】
従って、ツル（ハ）は該蝶番（ニ）の軸ネジ（ヌ）を介して折畳むことが出来る。そして、該蝶番（ニ）は両コマ（オ）、（オ）を有す蝶片（チ）の凹部にコマ（ワ）を有す蝶片（リ）の凸部が嵌って噛み合っていることで、蝶片（チ）、（リ）はガタ付くことなく上記軸ネジ（ヌ）を中心として回転することが出来る。
【０００６】
ところが、メガネのツル（ハ）を連結している上記蝶番（ニ）の軸ネジ（ヌ）はツル（ハ）の開閉操作により弛み易い。又、開閉操作に伴って蝶番（ニ）の摺動面は摩耗し、ツル（ハ）は一般にガタ付きを生じることが多い。その結果、ツル（ハ）は開閉操作時に何ら抵抗のないバタバタ状態となり、ツル（ハ）の安定性は無くなってしまう。
【発明の開示】
【発明が解決しようとする課題】
【０００７】
このように従来のメガネフレームのツル継手構造には上記のごとき問題がある。本発明が解決しようとする課題はこの問題点であり、一旦折畳まれたツルがバタ付いて開くことがないようにしたツル継手構造を提供する。又、バネ蝶番と同じような機能を備えたツル継手構造を提供する。
【課題を解決するための手段】
【０００８】
本発明に係るツル継手構造は、ヨロイの先端に継手軸を設け、この継手軸にツルが連結している。メガネを掛ける場合にツルは開かれるが、所定の位置で停止するようにストッパーを設けている。そして、折畳まれた場合にはバタ付かないようにその位置で静止するように構成している。
【０００９】
ところで、ツルの端面は継手軸を中心として、その周りに複数の滑らかな凹溝を形成している。そして、ヨロイ側には係合片を取付け、この係合片が上記凹溝に係合することが出来る構造としている。ここで、係合片にはバネ力が付勢されて凹溝に係合し、その為にツルは折畳まれた位置にて軽くロックされる。一方、ヨロイの端面に凹溝を設け、ツル側に係合片を取付けることも出来る。この場合も、ツルが折畳まれた状態で係合片が凹溝に係合してツルは軽くロックされる。
【００１０】
更に、ツルを開いた状態から外方向へ僅かに押し開くことが出来るように、ストッパーの位置を設定しているが、該ストッパーに当る手前で係合片が後退する凸部を設けている。その為に、該凸部に乗り上がることで係合片に作用するバネ力は大きくなり、ツルを内側へ押し戻す力として働く。すなわち、従来のバネ蝶番と同じ機能を備える。
【発明の効果】
【００１１】
本発明のツル継手構造は、ツル端面又はヨロイ端面に係合片を介してバネ力を付勢することで、ツルはガタ付くことなく、折畳み操作がスムーズとなる。そして、折畳まれたツルがバタ付いて独りで開くこともない。すなわち、ツル端面又はヨロイ端面に３つ以上の凹溝を形成し、この凹溝にバネ力を付勢した係合片が係合するように構成している為に、折畳まれたツル及び開いた状態のツルが安定すると共に、開閉操作に適度な抵抗を具えた安定性が具現する。換言すれば、ツルの開閉動作からシズル感を満たす効果が得られる。
【００１２】
従って、継手軸及び軸穴が多少磨耗しても、ヨロイとツルの噛み合わせ接合面が多少磨耗しても、ツルにガタ付きは発生しない。一方、メガネを掛ける際にツルは開かれるが、その状態から外方向へ僅かに押し開く場合に係合片を凸部に乗り上げて後退させることで、従来のバネ蝶番継手と同じ機能を備えることが出来る。すなわち、係合片が後退することでバネ力が作用してツルを内側へ押し戻す力が発生する。
【実施例】
【００１３】
図１は本発明に係るツル継手構造を示す実施例であり、同図の１はヨロイ、２はツル、３はフロント部を夫々表している。メガネフレームの基本形態は前記図５に示したものと同じであり、ヨロイ１はフロント部３の外側に固定され、このヨロイ１の先端にツル２が連結している。ツル２は継手軸４を中心として旋回して折畳まれる。
【００１４】
図１の(ａ)はツル２が開いた場合で、フロント部３に対してほぼ垂直を成して延びており、メガネを掛ける場合である。(ｂ)は開いた状態から１５°屈曲した場合、(ｃ)は３０°屈曲した場合、(ｄ)は９０°屈曲して折畳まれた場合を夫々表している。このように、ツル２は継手軸４を中心として旋回し、(ａ)の開いた状態から(ｄ)の折畳まれるまでの約９０°にわたって動くことが出来る。
【００１５】
図２はヨロイ１とツル２が分離した場合を示しているが、ヨロイ１の先端部には間に空間６を設けた２枚の継手コマ５ａ，５ｂを有し、ツル端部にも継手コマ７を設けている。ツル２の継手コマ７は上記ヨロイ１の継手コマ５ａ，５ｂにて形成される空間６に嵌り、継手軸４にて連結される。そこで、ヨロイ１の継手コマ５ａには継手軸４の頭が嵌る座が設けられ，継手コマ５ｂには継手軸４が螺合するネジ穴８が、及びツル２の継手コマ７には軸穴９が形成されている。
【００１６】
そこで、ツル２の継手コマ７をヨロイ１の継手コマ５ａ，５ｂ間に形成した空間６に嵌めて継手軸４にて連結する。この場合、ヨロイ１には係合片が取付けられる。ヨロイ１の両継手コマ５ａ，５ｂに挟まれた空間６の底には水平方向に延びる軸穴１０を設け、この軸穴１０に係合片が取付けられる。そして、該係合片にはバネ力が付勢されて、軸穴１０の入口から一部が突出した状態とされる。
【００１７】
図３は軸穴１０の入口から突出した係合片１１を表している。係合片１１は球体を成して軸１２を連結し、軸穴１０に収容されたコイルバネ１３のコイル穴に軸１２が嵌り、該係合片１１にはバネ力が付勢されている。すなわち、係合片１２を軸穴１０の入口から突出させるバネ力を働かせ、その結果、係合片１１はツル２の継手コマ７の端面に形成した凹溝１４ａ，１４ｂ，１４ｃ，１４ｄに係合することが出来る。
【００１８】
このように、ツル２の継手コマ７の端面は凹溝１４ａ，１４ｂ，１４ｃ，１４ｄが形成され、夫々の凹溝１４ａ，１４ｂ，１４ｃ，１４ｄに係合片１１が係合することでツル２の開き度が規制される。すなわち、係合片１１が各凹溝１４ａ，１４ｂ，１４ｃ，１４ｄに係合することで、ツル２が所定の角度で軽くロックされる。図１の(ａ)は係合片１１が凹溝１４ａに係合している場合、(ｂ)は係合片１１が凹溝１４ｂに係合する手前の状態で、凹溝１４ａとの間に位置する場合、(ｃ)は係合片１１が凹溝１４ｂに係合している場合、(ｄ)は係合片１１が凹溝１４ｄに係合している場合である。
【００１９】
各凹溝１４ａ，１４ｂ，１４ｃ，１４ｄの間には小さな凸部が形成され、係合片１１が凹溝１４ａから凹溝１４ｂへ移動する場合には凸部を乗り越えなくてはならず、乗り越える場合には係合片１１が距離ｍだけ後退してコイルバネ１３が圧縮される。その為に、係合片１１は各凹溝１４ａ，１４ｂ，１４ｃ，１４ｄに係合することで位置決めされ、ツル２は軽くロックされる。
【００２０】
図４は図１の(ａ)の状態から外方向へ僅かに押し開かれた場合である。ツル端部に設けたストッパー１６がヨロイ側に形成した当り面１７に当接することでツル２は停止する。そして、継手コマ７に形成した凹溝１４ａの外側には凸部１５が形成され、ツル２をこのように押し開くならば、この凸部１５に係合片１１が乗り上がる。その結果、係合片１１は後退して作用するバネ力が大きくなり、ツル２を元に位置(図１ａの状態)に戻す力が発生する。すなわち、従来のバネ蝶番としての機能を備えることが出来る。
【００２１】
ところで、凹溝１４ａ，１４ｂ，１４ｃ，１４ｄに係合する係合片１１はコイルバネ１３のバネ力が付勢された球体に限らず、板バネを取付けることも可能である。板バネの一部に凹溝１４ａ，１４ｂ，１４ｃ，１４ｄにバネ力を持って係合する係合片を一体成形することが出来る。
【００２２】
更に、説明した実施例ではヨロイ側に係合片１１を取付け、ツル２の継手コマ７に凹溝１４ａ，１４ｂ，１４ｃ，１４ｄを形成しているが、これとは逆にツル側に係合片を取付け、ヨロイ側の継手コマに凹溝を形成することもある。このような構造としてもツルの開閉度を規制することが可能である。
【図面の簡単な説明】
【００２３】
【図１】本発明に係るツル継手構造を示す実施例。
【図２】本発明のツル継手構造を構成するヨロイとツルの分離状態。
【図３】バネ力が付勢された係合片。
【図４】ツルを開いた状態から外方向へ僅かに押し開いた場合。
【図５】一般的なメガネフレーム。
【図６】従来のツル継手構造。
【符号の説明】
【００２４】
１  ヨロイ
２  ツル
３  フロント部
４  継手軸
５  継手コマ
６  空間
７  継手コマ
８  ネジ穴
９  軸穴
10  軸穴
11  係合片
12  軸
13  コイルバネ
14  凹溝
15  凸部
16  ストッパー
17  当り面
【図１】
2008203866.tif 000003
【図２】
2008203866.tif 000004
【図３】
2008203866.tif 000005
【図４】
2008203866.tif 000006
【図５】
2008203866.tif 000007
【図６】
2008203866.tif 000008